【手続補正書】
【提出日】平成16年4月20日(2004.4.20)
【手続補正１】
【補正対象書類名】明細書
【補正対象項目名】特許請求の範囲
【補正方法】変更
【補正の内容】
【特許請求の範囲】
【請求項１】
基板、反射層および記録層を含み、その記録層が実質的に下記式（Ｉ）の１種またはそれ以上の染料からなる光学記録媒体
【化１】
1998097732.tif 000001
（式中、
Ｒ1、Ｒ2、Ｒ6およびＲ7は互いに独立的に水素、置換されていないかまたはハロゲン、 Ｃ1−Ｃ8−アルコキシ、 Ｃ1−Ｃ8−アルキルチオ、 ＮＯ2、 ＣＮ、 ＮＲ12Ｒ13、 ＣＯＯ−、 ＣＯＯＨ、 ＣＯＯ−Ｃ1−Ｃ8アルキル， ＳＯ3−、 ＳＯ3Ｈまたは ＳＯ3−Ｃ1−Ｃ6アルキルによって一置換または多置換された Ｃ1−Ｃ20アルキル， Ｃ2−Ｃ20アルケニルまたは Ｃ2−Ｃ20アルキニル、置換されていないかまたは Ｃ1−Ｃ8アルキル、 Ｃ1−Ｃ8アルコキシ、 Ｃ1−Ｃ8アルキルチオ、 ハロゲン、 ＮＯ2、 ＣＮ、 ＮＲ12Ｒ13、 ＳＯ3−、 ＳＯ3Ｒ12， ＳＯ2ＮＲ12Ｒ13、 ＣＯＯ−， ＣＯＯＲ12、 ＣＯＮＲ12Ｒ13、 ＰＯ3−、 ＰＯ（ＯＲ12）（ＯＲ13）または ＳｉＲ14Ｒ15Ｒ16によって一置換または多置換された Ｃ7−Ｃ18アラールキルまたは Ｃ6−Ｃ14アリールである、ただしＲ1とＲ6およびＲ2とＲ7のそれぞれの対において両者が同時に水素であることはなく、そしてＲ1とＲ2およびＲ6とＲ7の対は互いに独立的に、各対の両者が離れているか、あるいは、それらが置換可能な位置を含有している場合には、直接結合を介して、またはブリッジ−Ｏ−または−ＮＲ12−を介して、それらが結合しているＮ＋と一緒に５員または６員の複素環を形成するよう相互に結合することができる；
Ｒ3、Ｒ4、Ｒ5、Ｒ8、Ｒ9およびＲ10は互いに独立的に水素、 ハロゲン、 ＯＲ17、 ＳＲ17、 ＮＯ2、 ＮＲ18Ｒ19であるか、または置換されていないかまたは ハロゲン、 Ｃ1−Ｃ8アルコキシ、 Ｃ1−Ｃ8アルキルチオ、 ＮＯ2、 ＣＮまたは ＮＲ18Ｒ19によって一置換または多置換された Ｃ1−Ｃ20アルキル， Ｃ2−Ｃ20アルケニル、 Ｃ2−Ｃ20アルキニルまたは Ｃ7−Ｃ18アラールキルであり、
Ｒ1とＲ3、Ｒ2とＲ4、Ｒ6とＲ8、Ｒ7とＲ9は、それぞれの対において、互いに独立的に、両者が離れているか、または、それら両者が少なくとも１つの置換可能な位置を有している場合には、直接結合を介して、またはブリッジ−Ｏ−または−ＮＲ20−を介して、それらが結合している Ｃ−Ｃ＝Ｎ＋、 Ｃ＝Ｃ−Ｎまたは Ｃ−Ｃ−Ｎと一緒に５員または６員の複素環を形成するように相互に結合することができる；あるいは
Ｒ4とＲ5またはこれとは互いに独立的にＲ9とＲ10は両者一緒に １、４−ブタ−１、３−ジエニレンであり、これは置換されていないかまたは Ｃ1−Ｃ8アルキル、 Ｃ1−Ｃ8アルコキシ、 Ｃ1−Ｃ8−アルキルチオ、 ハロゲン、 ＮＯ2、 ＣＮ、 ＮＲ18Ｒ19、 ＳＯ3−、 ＳＯ3Ｒ17、 ＳＯ2ＮＲ18Ｒ19、 ＣＯＯ−， ＣＯＯＲ17、 ＣＯＮＲ18Ｒ19、 ＰＯ3−、 ＰＯ（ＯＲ18）（ＯＲ19）または ＳｉＲ21Ｒ22Ｒ23によって一置換または多置換されており、各対は単独で、またはそれらが結合しているＣ＝Ｃ基と一緒に６員芳香族環を形成することができる；
Ｒ11は水素、（ＣＨ2）ｋＣＯＯ−、（ＣＨ2）ｋＣＯＯＲ24、 Ｃ1−Ｃ20アルキル、 Ｃ2−Ｃ20アルケニル、 Ｃ2−Ｃ20アルキニルまたは Ｃ6−Ｃ14アリールまたは Ｃ7−Ｃ18アラールキルであり、これらの基は置換されていないか、またはハロゲン、 ＮＯ2、 ＣＮ、 ＮＲ24Ｒ25、 ＳＯ3−、 ＳＯ3Ｒ24、 ＳＯ2ＮＲ24Ｒ25、 ＣＯＯ−， （ＣＨ2）ｋＯＲ2、（ＣＨ2）ｋＯＣＯＲ24、 ＣＯＯＲ24、 ＣＯＮＲ24Ｒ25、 ＯＲ24、 ＳＲ24、 ＰＯ3−、 −ＰＯ（ＯＲ24）（ＯＲ25）または ＳｉＲ21Ｒ22Ｒ23によって一置換または多置換されている；
Ｒ12、Ｒ13、Ｒ17、Ｒ18、Ｒ19、Ｒ20、Ｒ24およびＲ25は、互いに独立的に、水素、 Ｃ1−Ｃ20アルキル、 Ｃ2−Ｃ20アルケニル、 Ｃ2−Ｃ20アルキニルまたは Ｃ7−Ｃ18アラールキルであるか、または Ｃ7−Ｃ18アラールキルであり、これらの基は置換されていないかまたは Ｃ1−Ｃ8アルキル、 Ｃ1−Ｃ8アルコキシ、 Ｃ1−Ｃ8アルキルチオ、 ハロゲン、 ＮＯ2、 ＣＮ、 ＮＨ2、 ＮＨＲ21、 ＮＲ21Ｒ22、 ＳＯ−、 ＳＯ3Ｒ23， ＳＯ2ＮＨ2、 ＳＯ2ＮＨＲ21、 ＳＯ2ＮＲ21Ｒ22、 ＣＯＯ−， ＣＯＯＲ23、 ＣＯＮＨ2、 ＣＯＮＨＲ21、 ＣＯＮＲ21Ｒ22、 ＰＯ3−、 ＰＯ（ＯＲ21）（ＯＲ22）または ＳｉＲ14Ｒ15Ｒ16によって一置換または多置換されている，あるいは、 ＮＲ12Ｒ13、 ＮＲ18Ｒ19、 ＮＲ21Ｒ22または ＮＲ24Ｒ25は、付加的にＮ原子またはＯ原子を含有することができ、そして Ｃ1−Ｃ8アルキルによって一置換または多置換されることができる５員または６員の複素環である；
Ｒ14、Ｒ15、Ｒ16、Ｒ21、Ｒ22およびＲ23は互いに独立的に Ｃ1−Ｃ20アルキル、 Ｃ2−Ｃ20アルケニル、 Ｃ2−Ｃ20アルキニルまたは Ｃ7−Ｃ18アラールキルである；Ｙは無機、有機または有機金属陰イオン、またはそれらの混合物である；
Ｚはプロトンまたは金属陽イオン、アンモニウム陽イオンまたはホスホニウム陽イオン、またはそれらの混合物である；
ｋは１乃至１０の整数である；
ｍ，ｎおよびｏは互いに独立的に１乃至３の整数である；そして
ｐとｑとはそれぞれ０乃至４の整数であり、そして関連する下部構造の電荷に依存して決まるｏ，ｐおよびｑの間の関係は、式（Ｉ）内に過剰の陽電荷または陰電荷が存在しないことである）。
【請求項２】
Ｙｍ−が下記式（ＩＩ）の遷移金属錯陰イオンである請求項１記載の記録媒体：
［（Ｌ1）Ｍ（  Ｌ2）］ｍ−      （ＩＩ）
［式中、
Ｌ1  とＬ2  とは互いに独立的に下記式のいずれかの配位子である
【化２】
1998097732.tif 000002
（式中、
Ｒ26、Ｒ27、Ｒ28およびＲ29は互いに独立的に水素、ハロゲン、 Ｒ30、 ＮＯ2、 ＮＲ30Ｒ31、 ＮＨＣＯ−Ｒ30、 ＮＨＣＯＯ−Ｒ30、 ＳＯ2−Ｒ30、 ＳＯ2ＮＨ2、 ＳＯ2ＮＨ−Ｒ30、 ＳＯ2ＮＲ30Ｒ31、 ＳＯ3−または ＳＯ3Ｈであり、ここにおいてＲ30とＲ31とは互いに独立的に置換されていないか、またはヒドロキシル、ハロゲンまたは Ｃ1−Ｃ6−アルコキシによって置換された Ｃ1−Ｃ12アルキルである；
ＭはＣｒ3＋またはＣｏ3＋である）。
【請求項３】
式（Ｉ）が下記のいずれかである請求項１記載の記録媒体
【化３】
1998097732.tif 000003
【化４】
1998097732.tif 000004
【化５】
1998097732.tif 000005
【化６】
1998097732.tif 000006
【化７】
1998097732.tif 000007
【化８】
1998097732.tif 000008
【請求項４】
記録層が透明基板と反射層との間に配置されており、そして１０乃至１０００ｎｍ，好ましくは５０乃至５００ｎｍ，特に好ましくは８０乃至１５０ｎｍの厚さを有している請求項１記載の記録媒体。
【請求項５】
光学的記録、記憶および再生方法であって、請求項１記載の記録媒体を使用し、記録と再生とが６００乃至７００ｎｍの波長領域において行われる方法。